(57)【特許請求の範囲】
【請求項１】
角形の箱体に少なくとも１つのコーナを挾む２面において開口する引出し収納空間を設け、その引出し収納空間内に、上記開口の一方から外部に引出し可能な第１スライド枠と、上記開口の他方から外部に引出し可能な第２スライド枠とを収納し、第１スライド枠は、底板と、その底板の前後に設けられた一対のパネルとから成り、前記第２スライド枠は、上記第１スライド枠のパネルが通過可能な間隔をおいて対向配置された一対のパネルと、その一対のパネルの上面両端間に渡された一対の連結バーとから成り、前記第１スライド枠の底板と引出し収納空間の下板間に、その第１スライド枠の移動を案内する直線状のガイド手段を設け、前記第２スライド枠と引出し収納空間の上板下面間に、その第２スライド枠の移動を案内する直線状のガイド手段を設け、前記第１スライド枠の一対のパネルおよび第２スライド枠の一対のパネル間に収納可能な大きさの引出し体を上記第１スライド枠の底板上に載置した収納具。
【発明の詳細な説明】
【０００１】
【発明の属する技術分野】
この発明は、物品を収納する収納具に関するものである。
【０００２】
【従来の技術】
一般に、病院の入院患者を収容する病室にはベッドの周囲にサイドキャビネットが置かれている。このサイドキャビネットには引出し可能に支持されたテーブルや複数の引出し体が設けられ、毎日服用する薬剤や生活必需品が上記テーブル上に置かれ、あるいは引出し体内に収納されて、これらのものを手近に取り出せるようにしている。
【０００３】
ところで、一般に知られているサイドキャビネットにおいては、テーブルや引出し体を一方向にのみ引き出せるようにしたものであるため、テーブルや引出し体をベッド側に引き出せるようにサイドキャビネットを配置すると、下段の引出し体がベッドに隠れてそのままの状態では引き出せず、キャビネットの向きを変えて開閉する必要が生じる。
【０００４】
また、テーブルや引出し体をベッドの長さ方向に引き出せるようにキャビネットを配置すると、テーブル上の載置品や引出し内の収納品の取出しにその都度寝起きする必要があり、使い勝手に問題がある。
【０００５】
そのような問題点を解決するため、引出し体を直角な２方向に引き出せるようにした収納具が提案されている。図９は引出し体を２方向に引き出せるようにした収納具の一例を示す。
【０００６】
上記収納具は、四本の支柱４１を有する箱体４０内に、その箱体４０の前面および一側面で開口する引出し収納空間４２を形成し、その引出し収納空間４２内に収納された引出し体４３の前後および両側に支柱４１間に収納可能な大きさの４枚のパネル４４、４５、４６、４７を設け、前後パネル４４、４５と引出し体４３の対向面間に引出し収納空間４２の側面開口４８に向く直線状のガイド機構（図示省略）を設けると共に、両側パネル４６、４７と引出し体４３の対向面間に引出し収納空間４２の正面開口４９に向く直線状のガイド機構（図示省略）を設けている。
【０００７】
上記収納具においては、前面パネル４４を引くことにより、支柱４１に対する当接によって一対の側面パネル４６、４７は停止状態に保持され、前面パネル４４と共に引出し体４３および後面パネル４５が外部に向けて引き出される。
【０００８】
また、側面パネル４６を引くことにより、前後パネル４４、４５は支柱４１に対する当接によって停止状態に保持され、側面パネル４６と共に引出し体４３および残りの側面パネル４７が外部に引き出される。
【０００９】
上記収納具は、引出し体４３の収納状態において、引出し収納空間４２の正面開口４９および側面開口４８が前面パネル４４および側面パネル４６で閉鎖されるため、体裁が良好であるという特徴を有する。
【００１０】
【発明が解決しようとする課題】
ところで、上記収納具においては、前後パネル４４、４５は互に連結されず、また、側面パネル４６、４７も非連結の構造であるため、例えば、引出し体４３を正面開口４９から外部に引き出した場合、図９(ロ) に示すように、一対の側面パネル４６、４７に傾むきを生じることがある。
【００１１】
このとき、引出し体４３は支柱４１と接触する状態で引き出されるため、スムースに引き出すことができない。
【００１２】
また、図９(ロ) に示す状態から引出し体４３を引出し収納空間４２内に押し込むと後面パネル４５の端部が後側支柱４１に当接して体裁の良好な収納状態を得ることができず、使い勝手が悪いという不都合がある。
【００１３】
この発明の課題は、引出し体の引き出しおよび押し込みをスムースに行なうことができる使い勝手に優れた収納具を提供することである。
【００１４】
【課題を解決するための手段】
上記の課題を解決するために、この発明においては、角形の箱体に少なくとも１つのコーナを挾む２面において開口する引出し収納空間を設け、その引出し収納空間内に、上記開口の一方から外部に引出し可能な第１スライド枠と、上記開口の他方から外部に引出し可能な第２スライド枠とを収納し、第１スライド枠は、底板と、その底板の前後に設けられた一対のパネルとから成り、前記第２スライド枠は、上記第１スライド枠のパネルが通過可能な間隔をおいて対向配置された一対のパネルと、その一対のパネルの上面両端間に渡された一対の連結バーとから成り、前記第１スライド枠の底板と引出し収納空間の下板間に、その第１スライド枠の移動を案内する直線状のガイド手段を設け、前記第２スライド枠と引出し収納空間の上板下面間に、その第２スライド枠の移動を案内する直線状のガイド手段を設け、前記第１スライド枠の一対のパネルおよび第２スライド枠の一対のパネル間に収納可能な大きさの引出し体を上記第１スライド枠の底板上に載置した構成を採用したのである。
【００１５】
【発明の実施の形態】
以下、この発明の実施の形態を図１乃至図８に基づいて説明する。
【００１６】
図１乃至図５に示すように、箱体１は四隅に支柱２ａ、２ｂを有している。この箱体１の内側には引出し収納空間３と物品収納空間４とが上下に設けられている。
【００１７】
引出し収納空間３は箱体１の前後面および両側面で開口している。一方、物品収納空間４は箱体１の前面で開口し、その開口に開閉自在の扉５が設けられている。
【００１８】
引出し収納空間３には、第１スライド枠６と第２スライド枠７が収納されている。第１スライド枠６は底板８と、その底板８の前後に設けられた前パネル９および後パネル１０とから成り、その前後のパネル９、１０は、第１スライド枠６を引出し収納空間３内に完全に収めた状態において、前側一対の支柱２ａ、２ａ間、および後側一対の支柱２ｂ、２ｂ間に収納され、引出し収納空間３の前後の開口１１ａ、１１ａがその前後のパネル９、１０で閉じられるようになっている。
【００１９】
一方、第２スライド枠７は、第１スライド枠６のパネル９、１０が通過可能な間隔をおいて対向配置された一対のパネル１２、１２と、その一対のパネル１２、１２の上面端部間に渡された一対の連結バー１３とから成る。一対のパネル１１２、１２は、その第２スライド枠７を引出し収納空間３内に完全に納めた状態において、前後の支柱２ａ、２ｂ間に収納され、引出し収納空間３の両側の開口１１ｂ、１１ｂがその一対のパネル１２、１２で閉じられるようになっている。
【００２０】
第１スライド枠６の底板８と引出し収納空間３における下板１４の対向部間には、図４に示すように、その第１スライド枠６を引出し収納空間３の前後の開口１１ａ、１１ａから外部に引き出す場合に、その第１スライド枠６の移動を案内する直線状のガイド機構１５が設けられている。
【００２１】
ガイド機構１５は、底板８の下面に引出し収納空間３の前後の開口１１ａ、１１ａに向けて長く延びる突条１６を設け、その突条１６を下板１４の上面に設けたガイド溝１７内にスライド自在に挿入している。
【００２２】
ここで、突条１６の高さはガイド溝１７の深さより高くなり、第１スライド枠６の底板８下面が引出し収納空間３の下板１４上面に対して非接触に保持され、第１スライド枠６のスライド抵抗の減少化が図られている。
【００２３】
第１スライド枠６は図５及び図７に示すストッパ機構１８によって外方向へのスライド量が制限される。ストッパ機構１８は、底板８の下面における一側前部と他側後部にそれぞれ突起１９ａ、１９ｂを設け、引出し収納空間３の下板１４上面には、各突起１９ａ、１９ｂに対向してストッパ２０ａ、２０ｂを設け、各ストッパ２０ａ、２０ｂに対する突起１９ａ、１９ｂの当接によって第１スライド枠６のスライド量を制限している。
【００２４】
前記第２スライド枠７と引出し収納空間３における上板２１間には、図３に示すように、その第２スライド枠７を引出し収納空間３の両側の開口１１ｂ、１１ｂから外部に引き出す場合に、その第２スライド枠７の移動を案内する直線状のガイド機構２２を設けている。
【００２５】
ガイド機構２２は、第２スライド枠７の連結バー１３を引出し収納空間３の上板２１下面に設けたガイド溝２３にスライド自在に挿入している。
【００２６】
第１スライド枠６の底板８上には上部が開口する引出し体２４が載置されている。引出し体２４は、第１スライド枠６の一対のパネル９、１０間および第２スライド枠７の一対のパネル１２、１２間に収納可能な大きさとされている。
【００２７】
引出し体２４は、第１スライド枠６を外部に引き出すとき、その第１スライド枠６と共に移動し、また、第２スライド枠７を外部に引き出すときその第２スライド枠７と共に移動する。
【００２８】
このとき、引出し体２４が第１スライド枠６の一対のパネル９、１０内面および第２スライド枠７の一対のパネル１２内面に接触する状態であるとスライド抵抗が大きくなる。そのスライド抵抗の減少化を図るため、各パネル９、１０、１２、１２の内面に引出し体２４の移動を案内するガイド突条２５を設けている。
【００２９】
また、引出し体２４の底板２６下面に、図３に示すように、第１スライド枠６のスライド方向と直交する方向に長い一対の突条２７を形成し、その突条２７を第１スライド枠６の底板８上面に設けたガイド溝２８にスライド自在に挿入し、その突条２７の高さをガイド溝２８の深さより高くして引出し体２４の底板２６が第１スライド枠６の底板８上面に全面で接触するのを防止している。
【００３０】
上記引出し体２４の底板２６の下面には、図５に示すように、その一側前部と他側後部に一対の突起２９ａ、２９ｂが設けられ、一方、第１スライド枠６の底板８上面には、各突起２９ａ、２９ｂに対向してストッパ３０ａ、３０ｂが設られ、そのストッパ３０ａ、３０ｂに対する突起２９ａ、２９ｂの当接によって第２スライド枠７はスライド量が制限される。
【００３１】
いま、第１スライド枠６を外部に向けて引くと、図６および図７に示すように、その第１スライド枠６と共に引出し体２４が外部に引き出される。このとき、第２スライド枠７は、支柱２ａ、２ｂに対するパネル１２、１２の衝合によって第１スライド枠６と同方向に移動するのが防止される。
【００３２】
ここで、第２スライド枠７の一対パネル１２、１２は連結バー１３で連結され、その連結バー１３は引出し収納空間３の上板２１下面に設けたガイド溝２３内に挿入されているため、第１スライド枠６の引き出し時に第２スライド枠７の一対のパネル１２、１２に傾むきが生じるという不都合の発生はない。
【００３３】
このため、第１スライド枠６をきわめてスムースに外部に引き出すことができると共に、その第１スライド枠６を押し込む場合もスムースに押し込むことができる。
【００３４】
また、第２スライド枠７を引くと、その第２スライド枠７と共に引出し体２４が外部に引き出される。このとき、第１スライド枠６が支柱２ａ、２ｂに対するパネル９、１０の衝合によって第２スライド枠７と同方向に移動するのが防止される。
【００３５】
ここで、第１スライド枠６は底板８の前後に一対のパネル９、１０を設けた構成であり、その第１スライド枠６の底板８と引出し収納空間３の下板１４間にはガイド機構１５が設けられているため、第２スライド枠７の引出し時に、第１スライド枠６の一対のパネル９、１０が傾むくという不都合の発生はない。
【００３６】
このため、第２スライド枠７を外部にスムーズに引き出すことができると共に、押し込む場合にもスムースに押し込むことができる。
【００３７】
図１乃至図７に示す実施の形態においては、引出し体２４を箱体１の前後および左右の４方向に引き出せるようにしたが、図８に示すように、引出し収納空間３の一対および後側を板体３１の取付けにより閉塞して、引出し体２４を箱体１の前側と一側の２方向にのみ引き出せるようにしてもよい。また、図では省略したが、引出し体を箱体の前後および一側の３方向、あるいは、箱体の両側と前側の３方向に引き出せるようにしてもよい。
【００３８】
【発明の効果】
以上のように、この発明においては、第１スライド枠の押し引き時に、第２スライド枠が傾斜せず、第２スライド枠の押し引き時に第１スライド枠が傾斜するという不都合の発生はないため、引出し体を箱体の２方向乃至４方向にきわめてスムースに引き出すことができる。
【図面の簡単な説明】
【図１】この発明の実施の形態を示す斜視図
【図２】同上の横断平面図
【図３】図２のIII −III 線に沿った断面図
【図４】図２のIV−IV線に沿った断面図
【図５】同上の分解斜視図
【図６】同上の引出し体の引出し状態を示す一部切欠斜視図
【図７】図６の縦断側面図
【図８】同上の他の実施の形態を示す横断平面図
【図９】(イ) 、(ロ) は従来の収納具を示す横断平面図
【符号の説明】
１  箱体
３  引出し収納空間
６  第１スライド枠
７  第２スライド枠
８  底板
９  前パネル
１０  後パネル
１１ａ、１１ｂ  開口
１２  パネル
１３  連結バー
１４  下板
１５  ガイド機構
２１  上板
２２  ガイド機構
２４  引出し体
【図１】
0003793619.tif 000002
【図２】
0003793619.tif 000003
【図３】
0003793619.tif 000004
【図４】
0003793619.tif 000005
【図５】
0003793619.tif 000006
【図６】
0003793619.tif 000007
【図７】
0003793619.tif 000008
【図８】
0003793619.tif 000009
【図９】
0003793619.tif 000010